(57)【要約】【課題】越流する処理水によって発生する気泡を深部まで到達させる。【解決手段】水平方向に延びる底面を有する槽本体１０と、槽本体１０内を、排気ガスから硫黄分を吸収した処理水が導入される上流槽１１と、上流槽１１から越流した処理水ＳＷが導入されて流れる下流槽１２と、に区画する越流壁１３と、を備え、越流壁１３によって下流槽１２に流れる処理水ＳＷが越流壁１３の幅方向に分割され、落水領域Ｒ１と非落水領域Ｒ２とが形成される水処理槽を提供する。【選択図】図４
2019141817.tif 000002
【特許請求の範囲】
【請求項１】
水平方向に延びる底面を有する槽本体と、
前記槽本体内を、排気ガスから硫黄分を吸収した処理水が導入される上流槽と、前記上流槽から越流した前記処理水が導入されて流れる下流槽と、に区画する越流壁と、を備え、
前記越流壁によって前記下流槽に流れる前記処理水が前記越流壁の幅方向に分割され、落水領域と非落水領域とが形成される水処理槽。
【請求項２】
水平方向に延びる底面を有する槽本体と、
前記槽本体内を、海から処理水が導入される上流槽と、前記上流槽から越流した前記処理水が導入されて流れる下流槽と、に区画する越流壁と、を備え、
前記越流壁によって前記下流槽に流れる前記処理水が前記越流壁の幅方向に分割され、落水領域と非落水領域とが形成される水処理槽。
【請求項３】
前記越流壁は、前記上流槽の水面よりも高い複数の突出部を幅方向に断続的に有する請求項１又は請求項２に記載の水処理槽。
【請求項４】
前記越流壁は、上方から見て前記処理水の下流側に向かうに従って漸次流路幅が小さくなるように形成された複数の集合部を有する請求項１又は請求項２に記載の水処理槽。
【請求項５】
前記越流壁の上端の少なくとも一部は、前記処理水の下流側に向かうに従って低くなるように傾斜している請求項３又は請求項４に記載の水処理槽。
【請求項６】
前記越流壁の上端と、前記越流壁を越流する前記処理水の水面との間に配置され、前記処理水を上流側に落下する第一の落下水と、下流側に落下する第二の落下水とに分割する分割板を有する請求項１から請求項５のいずれか一項に記載の水処理槽。
【請求項７】
請求項１から請求項６のいずれか一項に記載の水処理槽と、
排気ガス中のＳＯ２を海水に吸収させて除去する脱硫吸収塔と、
前記脱硫吸収塔から排出される使用済み海水を前記水処理槽に導入する排水ラインと、を備えた脱硫装置。
【発明の詳細な説明】
【技術分野】
【０００１】
本発明は、水処理槽及び脱硫装置に関する。
【背景技術】
【０００２】
一般に、発電プラントなどには、石炭焚きボイラなどから排出される排気ガスから二酸化硫黄（ＳＯ２）を吸収除去する必要があるため、脱硫装置が設けられている。脱硫装置では、脱硫吸収塔で排気ガス中のＳＯ２を吸収液に吸収させる。特に吸収液として海水を用いた海水脱硫装置では、ＳＯ２を吸収させた使用済み海水を酸化槽で大量の空気と接触させることにより酸化処理している。
【０００３】
脱硫装置としては、酸化槽に投入された使用済み海水により多くの空気を供給するために、水路内に堰（越流壁）を設けて、堰を乗り越えた水を滝化するものが知られている。酸化槽に投入される海水を滝化することにより、海水に微細な空気の気泡が供給されて酸化が促進される（例えば、特許文献１参照。）。
【先行技術文献】
【特許文献】
【０００４】
【特許文献１】特開２０１２−１１５７６４号公報
【発明の概要】
【発明が解決しようとする課題】
【０００５】
ところで、水路内に堰を設け、海水を滝化することにより空気を供給する場合、十分な落差を確保する必要があるが、落差を大きくする為には、水路に十分な高低差があることが必要となるが、発電プラントが建設される場所によっては高低差が小さい場合があり、落差を大きく出来ない場合がある。よって、落差を大きくすることなく更に酸化を強める方法が求められている。特に、酸化を進める上では、気泡を海水の深部まで到達させる必要がある。
【０００６】
上述の事情に鑑みて、本発明の少なくとも一実施形態は、越流する処理水によって発生する気泡を深部まで到達させることができる水処理槽、及び脱硫装置を提供することを目的とする。
【課題を解決するための手段】
【０００７】
本発明の少なくとも一実施形態に係る水処理槽は、水平方向に延びる底面を有する槽本体と、前記槽本体内を、排気ガスから硫黄分を吸収した処理水が導入される上流槽と、前記上流槽から越流した前記処理水が導入されて流れる下流槽と、に区画する越流壁と、を備え、前記越流壁によって前記下流槽に流れる前記処理水が前記越流壁の幅方向に分割され、落水領域と非落水領域とが形成される。
【０００８】
このような構成によれば、越流壁を越流して滝化した処理水を落水領域にまとめて落水させることによって、下流槽の深部まで処理水を到達させることができる。これにより、水面に衝突することにより発生した微細な気泡を下流槽内の処理水中により多く取り込むことができる。
【０００９】
本発明の少なくとも一実施形態に係る水処理槽は、水平方向に延びる底面を有する槽本体と、前記槽本体内を、海から処理水が導入される上流槽と、前記上流槽から越流した前記処理水が導入されて流れる下流槽と、に区画する越流壁と、を備え、前記越流壁によって前記下流槽に流れる前記処理水が前記越流壁の幅方向に分割され、落水領域と非落水領域とが形成される。
【００１０】
幾つかの実施形態では上記水処理槽において、前記越流壁は、前記上流槽の水面よりも高い複数の突出部を幅方向に断続的に有してよい。
【００１１】
このような構成によれば、突出部によって容易に落水領域と非落水領域とを作ることができる。
【００１２】
幾つかの実施形態では上記水処理槽において、前記越流壁は、上方から見て前記処理水の下流側に向かうに従って漸次流路幅が小さくなるように形成された複数の集合部を有してよい。
【００１３】
このような構成によれば、越流壁の高さを高くすることなく、落水領域と非落水領域とを作ることができる。
【００１４】
幾つかの実施形態では上記水処理槽において、前記越流壁の上端の少なくとも一部は、前記処理水の下流側に向かうに従って低くなるように傾斜してよい。
【００１５】
このような構成によれば、越流壁を越流する処理水の下方向への速度ベクトルを上昇させることができる。
【００１６】
幾つかの実施形態では上記水処理槽において、前記越流壁の上端と、前記越流壁を越流する前記処理水の水面との間に配置され、前記処理水を上流側に落下する第一の落下水と、下流側に落下する第二の落下水とに分割する分割板を有してよい。
【００１７】
このような構成によれば、落水を更に分割することで落水後の水面との衝突箇所を増やし、気泡の発生を増加させて処理水への空気の取り込みを増加させることができる。
【００１８】
本発明の少なくとも一実施形態に係る脱硫装置は、上記いずれかの水処理槽と、排気ガス中のＳＯ２を海水に吸収させて除去する脱硫吸収塔と、前記脱硫吸収塔から排出される使用済み海水を前記水処理槽に導入する排水ラインと、を備える。
【００１９】
このような構成によれば、使用済み海水に効率よく酸素を供給することができる。これにより、水処理槽をコンパクト化することができる。
【発明の効果】
【００２０】
本発明の少なくとも一実施形態によれば、越流壁を越流して滝化した処理水を落水領域にまとめて落水させることによって、下流槽の深部まで処理水を到達させることができる。これにより、水面に衝突することにより発生した微細な気泡を下流槽内の処理水中により多く取り込むことができる。
【図面の簡単な説明】
【００２１】
【図１】幾つかの実施形態に係る脱硫装置の一実施形態の概略構成図である。
【図２】幾つかの実施形態に係る本発明の第一実施形態の海水取水槽の一実施形態の斜視図である。
【図３】幾つかの実施形態に係る本発明の第一実施形態の海水取水槽越流槽の一実施形態の側断面図である。
【図４】幾つかの実施形態に係る本発明の第一実施形態の一実施形態の海水取水槽を流れる海水を示す斜視図である。
【図５】幾つかの実施形態に係る本発明の第一実施形態の海水取水槽の一実施形態の斜視図である。
【図６】幾つかの実施形態に係る本発明の第一実施形態の海水取水槽の一実施形態の上面図である。
【図７】幾つかの実施形態に係る本発明の第一実施形態の一実施形態の海水取水槽を流れる海水を示す斜視図である。
【図８】幾つかの実施形態に係る本発明の第一実施形態の海水取水槽越流槽の一実施形態の側断面図である。
【発明を実施するための形態】
【００２２】
以下、幾つかの実施形態に係る脱硫装置について図面を参照して詳細に説明する。
図１に示すように、幾つかの実施形態に係る脱硫装置１を有するプラント１００は、石炭焚き又は重油焚きのボイラ１０１と、脱硫装置１と、を備えている。
【００２３】
脱硫装置１は、ボイラ１０１から排出される排気ガスＥＧ中のＳＯ２（硫黄分）を海水ＳＷ（処理水）に吸収させて除去する脱硫吸収塔２と、脱硫吸収塔２から排出される使用済み海水ＳＷ２を酸化処理する酸化槽７などからなる水処理槽３と、を有している。
ボイラ１０１は、ボイラ１０１で生成した蒸気で駆動する蒸気タービンと、蒸気タービンの駆動により発電を行う発電機などを有している。
【００２４】
水処理槽３は、水平方向に延びる底面１０ａを有する槽本体１０と、槽本体１０を区画する複数の越流壁１３，６ａ，７ａ，８ａ（堰）と、を有している。水処理槽３は、越流壁によって、海水ＳＷが導入される海水取水槽５と、海水取水槽５から溢れた海水ＳＷと脱硫吸収塔２においてＳＯ２を吸収した使用済み海水ＳＷ２とが導入される混合槽６と、海水ＳＷを大量の空気と接触させることにより酸化する酸化槽７（曝気槽）と、酸化槽７の後段に配置された仕上げ槽８（希釈槽）とに区画されている。
なお、図１においては、水処理槽３の底面１０ａの高さは全長にわたって同じにされているが、水処理槽３の底面１０ａの高さは下流側の槽ほど低くなっていてもよい。
【００２５】
これらの槽は上流側より順に、海水取水槽５、混合槽６、酸化槽７、仕上げ槽８の順に互いに隣り合うように配置されている。これらの槽は、より上流側の槽から越流した海水ＳＷが、隣り合う下流側の槽に受け入れられるように構成されている。即ち、複数の越流壁は、下流側程低くなるように形成されている。
【００２６】
海水取水槽５は、槽本体１０と、海水取水槽５内を海水取水上流槽１１と海水取水下流槽１２とに区画する海水取水槽越流壁１３と、海水取水槽５内を海水取水下流槽１２と混合槽６とに区画する混合槽越流壁６ａと、を有している。
【００２７】
図２に示すように、海水取水槽越流壁１３は、海水取水槽越流壁本体１３ａと、海水取水上流槽１１の水面１１ｓ（図１参照）よりも高い複数の海水取水槽突出部１４と、を有している。海水取水槽突出部１４は、海水取水槽越流壁１３の幅方向に断続的に形成されている。
幾つかの実施形態の海水取水槽越流壁１３には、海水取水槽越流壁１３の幅の１／５程度の幅の海水取水槽突出部１４が２つ形成されている。
海水取水槽突出部１４が形成されている箇所からは、海水ＳＷは越流せず、海水取水下流槽１２に流れる海水ＳＷは、海水取水槽突出部１４によって分割される。
【００２８】
図３に示すように、海水取水槽越流壁本体１３ａの上端は、海水ＳＷの下流側に向かうに従って漸次低くなるように傾斜している。即ち、海水取水槽越流壁本体１３ａの上端には、海水ＳＷの下流側が低くなるような斜面１３ｂが形成されている。斜面１３ｂの角度θは、例えば３０°から４５°に設定することができる。
【００２９】
海水取水上流槽１１には、外部の水域である海から海水導入ライン１５を介して海水ＳＷが導入される。海水導入ライン１５には、ポンプ１６が設けられている。海水取水下流槽１２には、海水取水上流槽１１から越流した海水ＳＷが導入されて流れる。海水取水槽越流壁１３を乗り越えた海水ＳＷは滝化する。
海水取水下流槽１２には、海水ＳＷの一部を脱硫吸収塔２に送る脱硫用海水ライン１７及びポンプ１８が設けられている。
【００３０】
図１に示すように、脱硫吸収塔２内には、海水ＳＷを吸収液として排気ガスと気液接触させるための噴霧ノズル２０が複数設けられている。脱硫吸収塔２の排気ガス出口２１には、脱硫処理された排気ガスを大気に放出する煙突２２が設けられている。脱硫吸収塔２と混合槽６との間には、脱硫吸収塔２から排出されるＳＯ２を吸収した使用済み海水ＳＷ２を、混合槽６に送る排水ライン２３が敷設されている。
【００３１】
混合槽６は、槽本体１０と、混合槽越流壁６ａと、槽本体１０を混合槽６と酸化槽７とに区画する酸化槽越流壁７ａと、を有している。混合槽６は、海水取水槽５から越流した海水ＳＷを受け入れるとともに、脱硫吸収塔２から排出される使用済み海水ＳＷ２が導入されるように構成されている。
【００３２】
酸化槽７は、槽本体１０と、酸化槽越流壁７ａと、槽本体１０を酸化槽７と仕上げ槽８とに区画する仕上げ槽越流壁８ａと、を有している。酸化槽７は、混合槽６から越流した使用済み海水ＳＷ２を含んだ海水ＳＷを受け入れ、この海水ＳＷが一端から他端まで流れるように構成されている。
【００３３】
酸化槽７は、酸化槽７内の海水ＳＷに気泡（空気）を供給する気泡発生装置２４を有している。気泡発生装置２４は、酸化槽７の底部に配置された空気ライン２５と、空気ライン２５に設けられ、海水ＳＷの流れ方向に対して気泡を多段階に吹き込む複数の気泡吹込ノズル２６と、を有している。空気ライン２５には、大気中の空気を気泡吹込ノズル２６へと送る酸化空気用ブロア２７が設置されている。
【００３４】
酸化槽越流壁７ａの構成は、海水取水槽越流壁１３と同様である。即ち、酸化槽越流壁７ａは、複数の酸化槽突出部２８を有している。酸化槽突出部２８が形成されている箇所からは、海水ＳＷは越流せず、酸化槽７に流れる海水ＳＷは、酸化槽突出部２８によって分割される。
【００３５】
仕上げ槽８は、槽本体１０と、仕上げ槽越流壁８ａと、を有している。仕上げ槽８は、酸化槽７から溢れ出た使用済み海水ＳＷ２を受け入れるとともに、希釈用海水ライン３１を介して使用済み海水ＳＷ２を希釈するための海水ＳＷが投入されるように構成されている。仕上げ槽８の下流側端部には、海水ＳＷを放出するための放出口３２が設けられている。
【００３６】
仕上げ槽越流壁８ａの構成は、海水取水槽越流壁１３及び酸化槽越流壁７ａと同様である。即ち、仕上げ槽越流壁８ａは、複数の仕上げ槽突出部３０を有している。仕上げ槽突出部３０が形成されている箇所からは、海水ＳＷは越流せず、仕上げ槽８に流れる海水ＳＷは、仕上げ槽突出部３０によって分割される。
【００３７】
次に、幾つかの実施形態に係る脱硫装置１の一実施形態における作用について説明する。
ボイラ１０１では、蒸気を用いて蒸気タービンを駆動し、発電機で発電を行う。ボイラ１０１からの排気ガスＥＧは、脱硫吸収塔２に導入され、加熱された海水ＳＷが吸収液として排気ガスＥＧに対して噴霧される。これにより、排気ガスＥＧ中のＳＯ２は海水ＳＷに吸収されて海水ＳＷ中で亜硫酸（Ｈ２ＳＯ３）、重亜硫酸イオン（ＨＳＯ３−）、及び亜硫酸イオン（ＳＯ３２−）といった亜硫酸類となる。ＳＯ２が除去された排気ガスＥＧは、煙突２２から大気へ開放される。ＳＯ２を吸収した使用済み海水ＳＷ２は、脱硫吸収塔２から排出され、排水ライン２３を介して混合槽６に導入される。
【００３８】
一方、海水ＳＷが、海水導入ライン１５を介して水処理槽３の最上流側に配置された海水取水槽５に導入される。海水ＳＷは、脱硫用海水ライン１７を介して脱硫吸収塔２に供給される。
混合槽６においては、海水取水槽５から越流した海水ＳＷと、脱硫吸収塔２から排出された使用済み海水ＳＷ２とが混合・希釈される。
【００３９】
脱硫吸収塔２から排出される使用済み海水ＳＷ２は、通常、ｐＨが低い。よって、混合槽６で希釈されることにより、迅速に酸化反応が進行する値（例えばｐＨ６以上）にまで上げることができる。
【００４０】
また、脱硫吸収塔２から排出される使用済み海水ＳＷ２は、通常、ＳＯ３２−濃度が高い。よって、この希釈により使用済み海水ＳＷ２中のＳＯ３２−濃度を、ＳＯ２が気相に放散しない値（例えば１．２ｍｍｏｌ／リットル以下）にまで下げることができる。混合された使用済み海水ＳＷ２は、混合槽６から越流することで酸化槽７に導入される。
【００４１】
次に、酸化槽７において、ＳＯ３２−の酸化に必要な酸素供給と、放流に必要な酸素濃度にするための酸素供給を行う。具体的には、酸化槽７内を流れる海水ＳＷ（使用済み海水ＳＷ２）中に、気泡発生装置２４の気泡吹込ノズル２６から気泡（空気）を吹き込む。これにより使用済み海水ＳＷ２中のＳＯ３２−をＳＯ４２−に酸化し、化学的に無害化する。酸化槽７において酸化された海水ＳＷは、酸化槽７から越流することで仕上げ槽８に導入される。
【００４２】
次に、仕上げ槽８内を流れる使用済み海水ＳＷ２中に希釈用海水ライン３１を介して海水ＳＷを投入し、海水ＳＷの希釈を行う。これにより、放流可能な水質とすることができる。放流可能な水質の基準は、プラントによって異なるが、例えば、ｐＨや、溶存酸素量（ＤＯ）などの基準値に従って設定することができる。
なお、プラントによっては、希釈用海水ライン３１を省略することもできる。
【００４３】
海水取水槽５では、海水取水槽越流壁１３を越流した海水ＳＷが海水取水下流槽１２の水面と衝突した際に微細な気泡が発生する。
図４に示すように、本実施形態の海水取水槽越流壁１３では、海水取水槽突出部１４により海水ＳＷが３つに分割されるため、落水領域Ｒ１と非落水領域Ｒ２が作られる。海水取水槽越流壁１３を越流して滝化した海水ＳＷが落水領域Ｒ１にまとめて落水することによって、気泡は海水取水下流槽１２の深部まで到達する。これにより、海水取水下流槽１２内の海水ＳＷの溶存酸素量（ＤＯ）が飽和状態になりやすくなる。
【００４４】
酸化槽７では、酸化槽越流壁７ａを越流した海水ＳＷが酸化槽７の水面と衝突した際に気泡が発生する。海水取水槽越流壁１３と同様に、酸化槽越流壁７ａでは、酸化槽突出部２８により海水ＳＷが３つに分割されるため、落水領域と非落水領域が作られる。酸化槽越流壁７ａを越流して滝化した海水ＳＷが落水領域にまとめて落水することによって、気泡は酸化槽７の深部まで到達する。これにより、酸化槽７内の酸化が促進される。
【００４５】
仕上げ槽８においても、酸化槽７と同様に、仕上げ槽越流壁８ａを越流した海水ＳＷが水面に衝突して気泡が発生する。海水取水槽越流壁１３と同様に、仕上げ槽越流壁８ａでは、仕上げ槽突出部３０により海水ＳＷが３つに分割されるため、落水領域と非落水領域が作られる。仕上げ槽越流壁８ａを越流して滝化した海水ＳＷが落水領域にまとめて落水することによって、気泡は仕上げ槽８の深部まで到達する。これにより、放流前の仕上げ酸化が促進される。
【００４６】
上記した幾つかの実施形態によれば、越流壁１３，６ａ，７ａ，８ａを乗り越えた海水ＳＷが滝化し、水面に衝突することにより、微細な気泡が発生する。越流壁１３，６ａ，７ａ，８ａを越流して滝化した海水ＳＷを落水領域Ｒ１にまとめて落水させることによって、下流槽の深部まで海水ＳＷを到達させることができる。これにより、気泡を下流槽内の海水ＳＷ中により多く取り込むことができる。
【００４７】
また、突出部１４，２８，３０によって、落水領域Ｒ１と非落水領域Ｒ２を容易に作ることができる。
また、海水ＳＷに効率よく酸素を供給することができるため、酸化槽７をコンパクト化することができる。
【００４８】
なお、上記した幾つかの実施形態では、海水取水槽越流壁１３、酸化槽越流壁７ａ、及び仕上げ槽越流壁８ａに突出部１４，２８，３０を設ける構成としたが、これら全ての越流壁に突出部を設ける必要はなく、必要に応じて突出部を設ける越流壁を選択することができる。
【００４９】
以下、本発明の幾つかの実施形態に係る脱硫装置の一実施形態について図面を参照して詳細に説明する。なお、幾つかの実施形態では、上述した図２に示す一実施形態との相違点を中心に述べ、同様の部分についてはその説明を省略する。
図５及び図６に示すように、幾つかの実施形態に係る海水取水槽５の海水取水槽越流壁１３Ｂは、海水Ｗの下流側Ｆ１に向かうに従って漸次流路幅が小さくなるように形成された複数の集合部３３を有している。集合部３３は、海水Ｗの流れ方向Ｆに対して傾斜する第一傾斜壁３４及び第二傾斜壁３５を有している。
幾つかの実施形態に係る海水取水槽越流壁１３Ｂの集合部３３は、集合部３３を流れる海水ＳＷを、集合部３３の幅方向中央付近に集中させるように形成されている。
【００５０】
第一傾斜壁３４と第二傾斜壁３５とは、海水Ｗの流れ方向Ｆに沿う鉛直面に関して面対称である。即ち、幾つかの実施形態に係る海水取水槽越流壁１３Ｂの集合部３３は、上方からみて、第一傾斜壁３４と第二傾斜壁３５とが海水Ｗの下流側Ｆ１に向かうに従って近づくようなＶ字形である。
【００５１】
上記構成によれば、図７に示すように、集合部３３によって海水ＳＷを落水領域Ｒ１にまとめて落水させることによって、海水取水下流槽１２の深部まで海水ＳＷを到達させることができる。これにより、水面に衝突することにより発生した微細な気泡を海水取水下流槽１２内の海水ＳＷ中により多く取り込むことができる。
また、集合部３３によって海水ＳＷをまとめることによって、海水取水槽越流壁１３の高さを高くすることなく、落水領域Ｒ１と非落水領域Ｒ２とを作ることができる。
【００５２】
なお、上記構成では、集合部３３を海水取水槽越流壁１３Ｂに設ける構成としたが、酸化槽越流壁７ａ、及び仕上げ槽越流壁８ａに集合部３３を設けてもよい。
【００５３】
以下、本発明の幾つかの実施形態に係る脱硫装置の一実施形態について図面を参照して詳細に説明する。なお、本実施形態では、上述した図３に示す一実施形態との相違点を中心に述べ、同様の部分についてはその説明を省略する。
図８に示すように、本実施形態の脱硫装置は、海水取水槽越流壁１３の上端と、海水取水槽越流壁本体１３ａを越流する海水ＳＷの水面ＳＷｆとの間に配置された分割板４１を有している。
【００５４】
分割板４１は、海水取水槽越流壁本体１３ａを越流する海水ＳＷを、小流量の副流ＳＳ（第一の落下水）と、大流量の主流ＭＳ（第二の落下水）とに分割するように配置されている。本実施形態の分割板４１は、分割板４１と海水取水槽越流壁１３の上端との間に流れる海水ＳＷが副流ＳＳとなり、分割板４１の上方を流れる海水ＳＷが主流ＭＳとなるように配置されている。これにより、副流ＳＳは上流側に落下し、主流ＭＳは下流側に落下する。例えば、主流ＭＳの流量は、副流ＳＳの流量の２倍とすることができる。
【００５５】
上記構成によれば、海水取水槽突出部１４により分割された海水ＳＷがさらに分割されることで落水後の水面との衝突箇所を増やし、気泡の発生を増加させて海水ＳＷへの空気の取り込みを増加させることができる。
また、主流ＭＳの流量を副流ＳＳの流量よりも多くすることによって、副流ＳＳで発生させた気泡を、主流ＭＳの流れでより遠くまで運ぶことができる。
【００５６】
なお、上記構成では、上流側に落下する落下水を副流ＳＳとし、下流側に落下する落下水を主流ＭＳとしたが、これに限ることはなく、上流側に落下する落下水を主流ＭＳとし、下流側に落下する落下水を副流ＳＳとしてもよい。また、主流ＭＳと副流ＳＳの流量を同じにしてもよい。さらに、複数の分割板４１を配置して、落下水を３つ以上に分割する構成としてもよい。
また、上記構成では、海水取水槽越流壁本体１３ａの上方に分割板４１を設ける構成としたが、分割板４１は、酸化槽越流壁７ａや、仕上げ槽越流壁８ａの上方に設けてもよい。
【００５７】
以上、本発明の幾つかの実施形態に係る一実施形態について図面を参照して詳述したが、具体的な構成はこの実施の形態に限られるものではなく、本発明の要旨を逸脱しない範囲の設計変更等も含まれる。
なお、幾つかの実施形態では、海水方式の脱硫装置に突出部、集合部を有する水処理槽３を適用したがこれに限ることはなく、淡水を用いる水処理槽３にも適用が可能である。
また、突出部と集合部は、適切な位置に配置することができる。例えば、海水取水槽越流壁１３に集合部を設け、仕上げ槽越流壁８ａに突出部を設ける構成としてもよい。
【符号の説明】
【００５８】
１  脱硫装置
２  脱硫吸収塔
３  水処理槽
５  海水取水槽
６  混合槽
６ａ  混合槽越流壁
７  酸化槽
７ａ  酸化槽越流壁
８  仕上げ槽
８ａ  仕上げ槽越流壁
１０  槽本体
１０ａ  底面
１１  海水取水上流槽
１２  海水取水下流槽
１３，１３Ｂ  海水取水槽越流壁
１３ａ  海水取水槽越流壁本体
１３ｂ  斜面
１４  海水取水槽突出部
１５  海水導入ライン
１６  ポンプ
１７  脱硫用海水ライン
１８  ポンプ
２０  噴霧ノズル
２１  排気ガス出口
２２  煙突
２３  排水ライン
２４  気泡発生装置
２５  空気ライン
２６  気泡吹込ノズル
２７  酸化空気用ブロア
２８  酸化槽突出部
３０  仕上げ槽突出部
３１  希釈用海水ライン
３２  放出口
３３  集合部
３４  第一傾斜壁
３５  第二傾斜壁
４１  分割板
１００  プラント
１０１  ボイラ
ＭＳ  主流
Ｒ１  落水領域
Ｒ２  非落水領域
ＳＳ  副流
ＳＷ  海水
ＳＷ２  使用済み海水
【図１】
2019141817.tif 000003
【図２】
2019141817.tif 000004
【図３】
2019141817.tif 000005
【図４】
2019141817.tif 000006
【図５】
2019141817.tif 000007
【図６】
2019141817.tif 000008
【図７】
2019141817.tif 000009
【図８】
2019141817.tif 000010